(57)【要約】  本発明は表示画面に関し、前記表示画面は、発光体の配列を形成するよう発光体の行及び発光体の列に配された発光体、配列の各発光体に関連付けられ前記発光体に電力を供給する第１の電流調整器及び前記第１の電流調整器のゲート電極に電位を蓄積する第１の蓄電コンデンサーを有する第１のアドレス指定回路、を有する。画面は、発光体の少なくとも１つの第２のアドレス指定回路を有する。第１及び第２のアドレス指定回路は、同一の発光体と関連付けられる。第２の回路は、発光体の第２の電流調整器及び第２の電流調整器のゲート電極に電位を蓄える第２の蓄電コンデンサーを有する。本発明は、前記画面のアドレス指定方法に関する。
2007519949.tif 000002
【特許請求の範囲】
【請求項１】
画像表示画面であって、
発光体の配列を形成するよう発光体の行及び発光体の列に配された発光体、配列の発光体の発光を制御する手段、を有し、前記手段は、
（ａ）前記発光体に電力を供給しゲート電極と２つの電流通過電極を有する第１の電流調整器、第１の電流調整器のゲート電極に電位を設定する第１の蓄電コンデンサーを有し、発光体を流れる電流を制御するよう配列の各発光体と関連付けられ、発光体をアドレス指定する第１の回路、
（ｂ）ゲート電極と２つの電流通過電極を有する前記発光体の第２の電流調整器、第２の電流調整器のゲート電極に電位を蓄積する第２の蓄電コンデンサーを有し、発光体毎に、発光体をアドレス指定する少なくとも１つの第２の回路、
（ｃ）前記第１の蓄電コンデンサー及び前記第２の蓄電コンデンサーに、画像データを表し及び前記画像データに従い発光体に電流を供給するため第１又は第２のアドレス指定回路の何れかをアクティブにするアドレス指定電圧を印加する、アドレス指定制御手段、を有し、
前記第１及び前記第２のアドレス指定回路は、同一の発光体と並列に配置され、
画面は、アドレス指定制御手段は、前記アドレス指定電圧の極性と反対の極性を有するバイアス電圧を、前記第１の電流調整器又は前記第２の電流調整器の何れかに設定する、
ことを特徴とする、画像表示画面。
【請求項２】
アドレス指定制御手段は、前記第１の電流調整器に最初にアドレス指定電圧を印加し、第１のアドレス指定回路を起動する段階を開始し、次にバイアス電圧を印加し、第１のアドレス指定回路をバイアスする段階を開始する、ことを特徴とする、請求項１記載の表示画面。
【請求項３】
アドレス指定手段は、前記第２の電流調整器に最初にアドレス指定電圧を印加し、第２のアドレス指定回路を起動する段階を開始し、次にバイアス電圧を印加し、第２のアドレス指定回路をバイアスする段階を開始し、第１のアドレス指定回路を起動する段階は、第２のアドレス指定回路をバイアスする段階と同期し、第２のアドレス指定回路を起動する段階は、第１のアドレス指定回路をバイアスする段階と同期する、ことを特徴とする、請求項２記載の表示画面。
【請求項４】
制御手段は、選択制御手段を有し、前記選択制御手段は、
発光体の第１のアドレス指定回路毎に、前記アドレス指定電圧又は前記バイアス電圧の前記第１の蓄電コンデンサー及び前記第１の電流調整器の前記ゲートへの送信を、前記発光体を選択するために、選択電圧に応じて駆動する、第１の選択スイッチ、
同一の発光体の第２のアドレス指定回路毎に、前記アドレス指定電圧又は前記バイアス電圧の前記第２の蓄電コンデンサー及び前記第２の電流調整器の前記ゲートへの送信を、前記発光体を選択するために、前記選択電圧に応じて駆動する、第２の選択スイッチ、及び
前記第１及び第２の選択スイッチを駆動する手段、
を有する、前記請求項の何れか１項記載の表示画面。
【請求項５】
駆動手段は、
発光体の各行に、制御するためそれぞれ第１及び第２の選択スイッチに接続された第１及び第２の選択電極、及び
最初に前記選択電圧を前記第１の選択電極へ、次に前記選択電圧を前記第２の選択電極へ交互に送信する選択駆動装置、
を更に有することを特徴とする、請求項４記載の表示画面。
【請求項６】
アドレス指定制御手段は、
第１及び第２の選択スイッチと接続された、発光体の各列のアドレス指定電極、及び
前記アドレス指定電圧及び前記バイアス電圧を前記アドレス指定電極へ交互に送るアドレス指定駆動装置、
を有することを特徴とする、請求項５記載の表示画面。
【請求項７】
駆動手段は、
制御するため第１及び第２の選択スイッチと接続された、発光体の各行の選択電極、及び
前記選択電圧を第１及び第２の選択スイッチへ同時に送る選択駆動装置、
を有することを特徴とする、請求項４記載の表示画面。
【請求項８】
アドレス指定制御手段は、
それぞれ第１及び第２の選択スイッチと接続された、発光体の各列の第１及び第２のアドレス指定電極、及び
前記アドレス指定電圧又は前記バイアス電圧の何れかを第１の前記アドレス指定電極と前記第２のアドレス指定電極へ同時に送るアドレス指定駆動装置、
を有することを特徴とする、請求項７記載の表示画面。
【請求項９】
表示画面のアドレス指定方法であって、
前記画像表示画面は、発光体、発光体に接続された第１の電流調整器及び第１の電流調整器のゲートに電位を蓄積する第１の蓄電コンデンサーを有する第１のアドレス指定回路、前記発光体に接続された第２の電流調整器及び第２の電流調整器のゲートに電位を蓄積する第２の蓄電コンデンサーを有する第２アドレス指定回路を有し、各電流調整器は特にゲート電極及びソース電極を有し、各電流調整器はゲート電極とソース電極の間にトリガー閾値電圧より大きい電圧が印加された場合、電流調整器を流れる電流を有し、
前記方法は、各発光体を駆動するために、
電流を発光体に供給するため第１のアドレス指定回路を起動する段階、
第２の調整器のトリガー閾値電圧を変化するため第２のアドレス指定回路をバイアスする段階、
電流を発光体に供給するため第２のアドレス指定回路を起動する段階、
第１の調整器のトリガー閾値電圧を変化するため第１のアドレス指定回路をバイアスする段階、
を有し、
第１のアドレス指定回路を起動する段階は、第２のアドレス指定回路をバイアスする段階と同期し、
及び
第２のアドレス指定回路を起動する段階は、第１のアドレス指定回路をバイアスする段階と同期する、
ことを特徴とする、アドレス指定方法。
【請求項１０】
第１のアドレス指定回路を起動する１つ以上の段階の次に、第１のアドレス指定回路をバイアスする少なくとも１つの段階が続き、及び第２のアドレス指定回路を起動する１つ以上の段階の次に、第２のアドレス指定回路をバイアスする少なくとも１つ以上の段階が続く、ことを特徴とする請求項９記載のアドレス指定方法。
【請求項１１】
画像データを表すアドレス指定電圧を前記第１の蓄電コンデンサーに印加することによる、前記第１の蓄電コンデンサーのアドレス指定設定段階、
第１の蓄電コンデンサーにより蓄えられた電位の極性と反対の極性を有するバイアス電圧を前記第１の電流調整器に印加することによる、前記第１の調整器のバイアス設定段階、
前記バイアス電圧を前記第２の電流調整器に印加することによる、前記第２の調整器のバイアス設定段階、及び
前記アドレス指定電圧を前記第２の蓄電コンデンサーに印加することによる、前記第２の蓄電コンデンサーのアドレス指定設定段階、
を有することを特徴とする、請求項９又は１０記載のアドレス指定方法。
【請求項１２】
前記第１の電流調整器のバイアス設定段階の次に、第２の蓄電コンデンサーのアドレス指定設定段階が続き、及び交代に前記第２の電流調整器のバイアス設定段階の次に、第１の蓄電コンデンサーのアドレス指定設定段階が続く、ことを特徴とする、請求項１１記載のアドレス指定方法。
【請求項１３】
前記第２の電流調整器の前記バイアス設定段階は、前記第１の蓄電コンデンサーの前記アドレス指定設定段階と同時であり、及び前記第１の電流調整器の前記バイアス設定段階は、前記第２の蓄電コンデンサーの前記アドレス指定設定段階と同時である、ことを特徴とする、請求項１１記載のアドレス指定方法。
【発明の詳細な説明】
【技術分野】
【０００１】
本発明は、画像表示画面及び前記画面のアドレス指定方法に関する。
【０００２】
特に、本発明は、アモルファスシリコン（ａ−Ｓｉ）にエッチングされたアクティブマトリックスを有する有機電場発光物質に基づく種類の表示画面に関する。
【背景技術】
【０００３】
水素化アモルファスシリコン薄膜トランジスターは、多結晶シリコン（ｐ−Ｓｉ）薄膜トランジスターより、製造が容易で且つ有意に大きい画面で均一の輝度を示すので、有機電場発光物質に基づく画面の設計に有利である。
【０００４】
しかしながら、アモルファスシリコントランジスターのトリガー閾値電圧は、時間の経過に伴いゲートとソース間に長期に電圧を印加する間に変化する。
【０００５】
このトリガー閾値電圧の変化は、画面の画像生成処理に影響し、画面の輝度を時間の経過に伴い変化させる。
【０００６】
特に、特許文献１は、アドレス制御手段を有する以上に説明された種類の画面を記載している。前記アドレス制御手段は、各画像フレームの間、この画面の各発光体の電流調整器に、及びこの発光体のアドレス指定回路と全く同一の使用している回路に、画像データを表すアドレス電圧及びアドレス電圧と反対の極性を有する電圧を交互に印加する。
【０００７】
しかしながら、このアーキテクチャ及びこの駆動モードは、各フレームの間に発光持続時間を減少させるので、画面の輝度を低下させ、画面にちらつき効果を生じさせる。
【０００８】
特に、特許文献２（特に図９を参照）及び３は、アドレス制御手段を有する以上に説明された種類の画面を記載している。前記アドレス制御手段は、各画像フレームの間、この画面の各発光体の電流調整器に、及び複数のこの発光体のアドレス指定回路の少なくとも１つを用い、常に同じ極性を有する画像データを表すアドレス電圧を印加する。
【特許文献１】米国特許第２００３／０５２６１４号明細書
【特許文献２】米国特許第６０１１５２９号明細書
【特許文献３】国際公開第２００４／０５１６１７号パンフレット
【発明の開示】
【発明が解決しようとする課題】
【０００９】
本発明の目的は、時間の経過に伴う輝度の変化が少ない画面を提案することである。
【課題を解決するための手段】
【００１０】
この目的のため、本発明は画像表示画面を提供する。
【００１１】
画像表示画面は、発光体の配列を形成するよう発光体の行及び発光体の列に配された発光体、配列の発光体の発光を制御する手段、を有する。
【００１２】
手段は、
（ａ）前記発光体に電力を供給しゲート電極と２つの電流通過電極を有する第１の電流調整器、第１の電流調整器のゲート電極に電位を設定する第１の蓄電コンデンサーを有し、発光体を流れる電流を制御するよう配列の各発光体と関連付けられ、発光体をアドレス指定する第１の回路、
（ｂ）ゲート電極と２つの電流通過電極を有する前記発光体の第２の電流調整器、第２の電流調整器のゲート電極に電位を蓄積する第２の蓄電コンデンサーを有し、発光体毎に、発光体をアドレス指定する少なくとも１つの第２の回路、
（ｃ）前記第１の蓄電コンデンサー及び前記第２の蓄電コンデンサーに、画像データを表し及び前記画像データに従い発光体に電流を供給するため第１又は第２のアドレス指定回路の何れかをアクティブにするアドレス指定電圧を印加する、アドレス指定制御手段、を有する。
【００１３】
前記第１及び第２のアドレス指定回路は、同一の発光体と並列に配置される。
【００１４】
画面は、アドレス指定制御手段は、前記アドレス指定電圧の極性と反対の極性を有するバイアス電圧を、前記第１の電流調整器又は前記第２の電流調整器の何れかに設定することを特徴とする。
【００１５】
特定の実施例によると、表示画面は以下の特徴の１つ以上を有する。
【００１６】
アドレス指定制御手段は、前記第１の電流調整器に最初にアドレス指定電圧を印加し、第１のアドレス指定回路を起動する段階を開始し、次にバイアス電圧を印加し、第１のアドレス指定回路をバイアスする段階を開始する。
【００１７】
アドレス指定手段は、前記第２の電流調整器に最初にアドレス指定電圧を印加し、第２のアドレス指定回路を起動する段階を開始し、次にバイアス電圧を印加し、第２のアドレス指定回路をバイアスする段階を開始する。第１のアドレス指定回路を起動する段階は、第２のアドレス指定回路をバイアスする段階と同期し、第２のアドレス指定回路を起動する段階は、第１のアドレス指定回路をバイアスする段階と同期する。
【００１８】
制御手段は、発光体の第１のアドレス指定回路毎に、前記アドレス指定電圧又は前記バイアス電圧の前記第１の蓄電コンデンサー及び前記第１の電流調整器の前記ゲートへの送信を、前記発光体を選択するために、選択電圧に応じて駆動する、第１の選択スイッチ、同一の発光体の第２のアドレス指定回路毎に、前記アドレス指定電圧又は前記バイアス電圧の前記第２の蓄電コンデンサー及び前記第２の電流調整器の前記ゲートへの送信を、前記発光体を選択するために、前記選択電圧に応じて駆動する、第２の選択スイッチ、及び前記第１及び第２の選択スイッチを駆動する手段、を有する選択制御手段を有する。
【００１９】
駆動手段は、発光体の各行に、制御するためそれぞれ第１及び第２の選択スイッチに接続された第１及び第２の選択電極、及び最初に前記選択電圧を前記第１の選択電極へ、次に前記選択電圧を前記第２の選択電極へ交互に送信する選択駆動装置、を更に有する。
【００２０】
アドレス指定制御手段は、発光体の各列にアドレス指定電極を有し、第１及び第２の選択スイッチは、前記アドレス指定電極と接続され、及びアドレス指定駆動装置は、前記アドレス指定電圧及び前記バイアス電圧を前記アドレス指定電極へ交互に送る。
【００２１】
駆動手段は、発光体の各行に、選択電極を更に有し、第１及び第２の選択スイッチは、制御するため前記選択電極と接続され、及び選択駆動装置は、前記選択電圧を第１及び第２の選択スイッチへ同時に送る。
【００２２】
アドレス指定制御手段は、発光体の各列に、それぞれ第１及び第２の選択スイッチと接続される第１及び第２のアドレス指定電極、及び前記アドレス指定電圧又は前記バイアス電圧の何れかを第１の前記アドレス指定電極と前記第２のアドレス指定電極へ同時に送るアドレス指定駆動装置、を有する。
【００２３】
本発明は、更に、前記種類の表示画面のアドレス指定方法を提供する。アドレス指定方法は、各発光体を駆動するために、電流を発光体に供給するため第１のアドレス指定回路を起動する段階、第２の調整器のトリガー閾値電圧を変化するため第２のアドレス指定回路をバイアスする段階、電流を発光体に供給するため、第２のアドレス指定回路を起動する段階、第１の調整器のトリガー閾値電圧を変化するため第１のアドレス指定回路をバイアスする段階、を有し、第１のアドレス指定回路を起動する段階は、第２のアドレス指定回路をバイアスする段階と同期し、及び第２のアドレス指定回路を起動する段階は、第１のアドレス指定回路をバイアスする段階と同期することを特徴とする。
【００２４】
特定の実施例によると、表示方法は以下の特徴の１つ以上を有する。
【００２５】
第１のアドレス指定回路を起動する１つ以上の段階の次に、第１のアドレス指定回路をバイアスする少なくとも１つの段階が続き、及び第２のアドレス指定回路を起動する１つ以上の段階の次に、第２のアドレス指定回路をバイアスする少なくとも１つ以上の段階が続く。
【００２６】
前記方法は、画像データを表すアドレス指定電圧を前記第１の蓄電コンデンサーに印加することによる、前記第１の蓄電コンデンサーのアドレス指定設定段階、第１の蓄電コンデンサーにより蓄えられた電位の極性と反対の極性を有する前記バイアス電圧を前記第１の電流調整器に印加することによる、前記第１の調整器のバイアス設定段階、前記バイアス電圧を前記第２の電流調整器に印加することによる、前記第２の調整器のバイアス設定段階、及び前記アドレス指定電圧を前記第２の蓄電コンデンサーに印加することによる、前記第２の蓄電コンデンサーのアドレス指定設定段階、を有する。
【００２７】
前記第１の電流調整器のバイアス設定段階の次に、第２の蓄電コンデンサーのアドレス指定設定段階が続き、及び交代に前記第２の電流調整器のバイアス設定段階の次に、第１の蓄電コンデンサーのアドレス指定設定段階が続く。
【００２８】
前記第２の電流調整器の前記バイアス設定段階は、前記第１の蓄電コンデンサーの前記アドレス指定設定段階と同時であり、及び前記第１の電流調整器の前記バイアス設定段階は、前記第２の蓄電コンデンサーの前記アドレス指定設定段階と同時である。
【発明を実施するための最良の形態】
【００２９】
本発明は、例としてのみ与えられる以下の説明及び図を参照しより理解される。
【００３０】
本発明による表示画面は、発光体の配列を形成するよう行及び列に配置された発光体を有するアクティブマトリックスである。
【００３１】
表示画面の発光体は、ＯＬＥＤという略語で知られる有機発光ダイオードである。それらのそれぞれは、画面が白黒の場合１つの画素と関連付けられ、又は画面が多色の場合サブピクセルと関連付けられる。それらは、それらに流れる電流に直接比例する光度を発光する。
【００３２】
図１は、本発明の第１の実施例による配列の発光体４の発光を制御する手段２を示す。簡単のため、単一の発光体のアドレス指定の制御手段のみ、この図に示されている。
【００３３】
制御手段２は、配列の発光体４と接続された第１のアドレス指定回路６、発光体の列のアドレス指定を制御するアドレス指定制御手段８、発光体の行の選択を制御する選択制御手段１０、制御システム１１、及び発光体４と接続された第２のアドレス指定回路１２を有する。
【００３４】
第１のアドレス指定回路６は、電流調整器１４、蓄電コンデンサー１６、及び選択スイッチ１８を有する。
【００３５】
調整器１４及びスイッチ１８は、水素化アモルファスシリコン薄膜トランジスターである。より詳細には、これらはｎ型トランジスターである。それらはドレイン、ゲート、及びソースを有し、それらのトリガー閾値電圧より大きい又は等しい電圧がそれらのゲートとそれらのソースの間に印加された場合、それらのドレインからそれらのソースへそれらを流れる電流を有する。
【００３６】
代案として、ｐ型トランジスターが利用されて良い。その場合、トランジスター１４及び１８は、それらのソースからそれらのドレインへそれらを流れる電流を有する。
【００３７】
調整器１４のドレインは、発光体４の陰極と接続される。発光体４の陽極は、発光体に電力を供給する直流電圧源Ｖｄｄと接続される。調整器１４のソースは、接地電極又は負の電圧と接続される。調整器１４のゲートは、スイッチ１８のソース及び蓄電コンデンサー１６の端子と接続される。蓄電コンデンサー１６の他の端子は、接地電極と接続される。スイッチ１８のゲートは選択制御手段１０と接続され、及びスイッチ１８のドレインはアドレス指定制御手段８と接続される。
【００３８】
発光体の列のアドレス指定制御手段８は、発光体の各列のアドレス指定電極２０、及びアドレス指定駆動装置２２を有する。電極２０は、駆動装置２２及び発光体の列の第１のアドレス指定回路６のスイッチ１８のドレインと接続される。
【００３９】
選択制御手段１０は、発光体の各行に第１の選択電極２４及び第２の選択電極２６を、及び選択駆動装置２８を有する。第１の選択電極２４は、駆動装置２８及び発光体の行の第１のアドレス指定回路６のスイッチ１８のゲートと接続される。第２の選択電極２６は、駆動装置２８及び発光体の行の第２のアドレス指定回路１２のスイッチ３８のゲートと接続される。
【００４０】
制御システム１１は、アドレス指定駆動装置２２及び選択駆動装置２８と接続される。
【００４１】
第２のアドレス指定回路１２は、第１のアドレス指定回路６と同じ要素を有する。つまり、電流調整器３４、蓄電コンデンサー３６、及び選択スイッチ３８である。これらの要素は、第１のアドレス指定回路６と同様に相互接続されるので、詳細は省略する。
【００４２】
特に、第２のアドレス指定回路１２の調整器３４は、端子３２で発光体４の陰極と接続される。スイッチ３８のドレインは、スイッチ１８と同様のアドレス指定電極２０と接続され、及びスイッチ１８のゲートは第２の選択電極２６と接続される。
【００４３】
制御システム１１は、デジタル画像データ及びバイアス電圧に関するデータを駆動装置２２へ及び周期的選択信号を駆動装置２８へ所定の周波数で送信する。
【００４４】
アドレス指定駆動装置２２は、画像データを表すアドレス指定電圧ＶＤを列の全ての発光体へ電極２０を経由して送信する。アドレス指定駆動装置２２はまた、電極２０に、アドレス指定電圧の極性に対し反対の極性を有するバイアス電圧Ｖｐと称される電圧を印加する。この電圧は、所定の持続期間を有する所定の負の電圧である。望ましくは、バイアス電圧Ｖｐは、−２ボルトと−２５ボルトの間である。一般に、逆電圧又は負のバイアス電圧は、調整器のゲート及びソース電極の間の電位差Ｖｇｓと称され、０ボルトより小さく、Ｖｇｓ＜０ボルトである。
【００４５】
駆動装置２８は、周期的選択電圧ＶＳ１、ＶＳ２を発光体の行の第１のアドレス指定回路６のスイッチ１８のゲート、又は発光体の同じ行の第２のアドレス指定回路１２のスイッチ３８のゲートに印加し、アドレス指定電圧ＶＤ又はバイアス電圧Ｖｐを、第１のアドレス指定回路６の調整器１４のゲート又は第２のアドレス指定回路１２の調整器３４のゲートに印加する。
【００４６】
図２は、本発明による装置により実行されるアドレス指定方法の発生による種々の電圧及び電流の時間的変化を表すグラフである。図２Ａ乃至２Ｆは、本発明の第１の実施例による表示画面のアドレス指定方法を示す。
【００４７】
この方法は、第２のアドレス指定回路１２の調整器３４のバイアス設定段階Ａを有する。図２Ｂに示されるように、選択駆動装置２８は、選択電圧ＶＳ２を第２の電極２６へ送信する。選択スイッチ３８は、この選択電圧ＶＳ２をゲートに印加されることにより、導通する。
【００４８】
同時に、アドレス指定駆動装置２２は、負の極性（Ｖｇｓ＜０）のバイアス電圧Ｖｐをアドレス指定電極２０に印加する。バイアス電圧Ｖｐは、電流調整器３４のゲート及び蓄電コンデンサー３６の端子に印加される。前のフレームの期間に発光体４に電力を供給するため電流調整器３４を流れていたドレイン電流Ｉｄ２は、図２Ｅに点線により示されるこの新しいフレームの期間に０に向かう。
【００４９】
同時に、前のフレームの期間に印加された電圧ＶＤを事前に蓄電していた蓄電コンデンサー３６は、バイアス電圧Ｖｐで図２Ｄに示されるように分極される。図２Ｄに点線の曲線で示されるように、蓄電コンデンサー３６は、第２のアドレス指定回路１２のバイアス段階の間、及び調整器３４の次の設定段階の終了までこのバイアス電圧を調整器３４のゲートに維持する。段階Ｂ、Ｃ及びＤは共に、第２のアドレス指定回路１２のバイアス段階を形成する。
【００５０】
前の画像フレームの期間にアドレス指定電圧の印加を通じて変化していた、調整器３４のトリガー閾値電圧は、バイアス段階の間及び新しいフレームの間を通して、バイアス電圧Ｖｐの印加により、再び変化されるが、前の変化とは逆方向へ変化される。
【００５１】
新しいフレームの期間に調整器３４のゲートに印加されたバイアス電圧は、そのトリガー閾値電圧の変化を反対にし、及びトリガー閾値電圧を初期値、つまり前のフレームの期間にゲートにアドレス指定電圧を印加されることにより変化される前の電圧に戻す効果を有する。
【００５２】
第１のアドレス指定回路６の調整器１４のアドレス指定設定段階Ｂの間、選択駆動装置２８は、選択電圧ＶＳ１を生成し、それを第１の電極２４に印加する。
【００５３】
同時に、アドレス指定駆動装置２２は、画像データを表すアドレス指定電圧ＶＤａをアドレス指定電極２０に印加する。選択スイッチ１８は、アドレス指定電極２０と第１の選択電極２４の交点にあり、導通されアドレス指定電圧ＶＤａを調整器１４及び第１のアドレス指定回路６の蓄電コンデンサー１６へ送信する。アドレス指定電圧ＶＤａは調整器１４のトリガー閾値電圧より大きいので、ドレイン電流Ｉｄ１は調整器１４のドレインとソースの間に生じ、従って図２Ｆに示されるように発光体４を流れる。コンデンサー１６は、アドレス指定電圧ＶＤａを表す電位を調整器１４のゲートに蓄積し、画像フレームの期間に対応する時間間隔に亘り発光体４の輝度を維持する。このように、段階Ｃの間、画像フレームの終了まで、発光体４は発光する。
【００５４】
段階Ｂ、Ｃ及びＤの間、従って、発光体４は第１のアドレス指定回路６により電流を供給される。段階Ｂ、Ｃ及びＤは従って共に、第１のアドレス指定回路６の起動段階を形成する。
【００５５】
第１のアドレス指定回路６の調整器１４のバイアス設定段階Ｄの間、選択駆動装置２８は、選択電圧ＶＳ１を生成し、それを第１の電極２４に印加する。選択電圧の印加と同時に、アドレス指定駆動装置２２は、バイアス電圧Ｖｐを電極２０に印加する。
【００５６】
選択スイッチ１８は、第１の電極２４とアドレス指定電極２０の交点にあり、導通され今度はバイアス電圧Ｖｐを調整器１４及び蓄電コンデンサー１６へ送信する。図２Ｄに示されるように、蓄電コンデンサーは放電され、第１のアドレス指定回路６のバイアス段階Ｄ、Ｆの間にバイアス電圧により送信された電荷を格納する。前のフレームのドレイン電流Ｉｄ１は、調整器１４の電流を止める。画像フレームの期間に変化し増加した調整器１４のトリガー閾値電圧は、新しいフレームの期間、特に段階Ｆの間に減少する。
【００５７】
次の画像フレームは、第２のアドレス指定回路１２の調整器３４のアドレス指定設定段階Ｅで開始する。この段階の間、選択駆動装置２８は選択電圧ＶＳ２を電極２６に印加する。同時に、アドレス指定駆動装置２２は、アドレス指定電圧ＶＤｂを電極２０に印加する。
【００５８】
第２のアドレス指定回路１２のスイッチ３８は導通され、画像データを表すアドレス指定電圧ＶＤｂは、調整器３４のゲート及び蓄電コンデンサー３６の端子に印加される。ドレイン電流Ｉｄ２は、調整器３４のドレインとソースの間で生成される。この電流は、この画像フレームの期間に送信されるべき画像データの値に比例する振幅を有する。段階Ｆの間、画像フレームの終了まで、この電流は発光体４を流れる。
【００５９】
段階Ｅ及びＦの間、従って、発光体４は第２のアドレス指定回路１２により電流を供給される。段階Ｅ及びＦは共に従って、第２のアドレス指定回路１２の起動段階を形成する。
【００６０】
続いて、制御システム１１及び駆動装置２２及び２８は、選択のアドレス指定、アドレス指定及びバイアス電圧を制御する。これにより、正の極性のアドレス指定電圧は、第１のアドレス指定回路６の調整器１４のゲートに印加され、発光体４に電力を供給する。続いて負の極性のバイアス電圧は、第２のアドレス指定回路１２の調整器３４のゲートに印加され、トリガー閾値電圧の変化を補償する。次に反対に、正の極性のアドレス指定電圧は、第２のアドレス指定回路１２の調整器３４のゲートに印加され、発光体４に電力を供給する。続いて負の極性のバイアス電圧は、第１のアドレス指定回路６の調整器１４のゲートに印加され、トリガー閾値電圧の変化を補償する。
【００６１】
ある画像フレームから他の画像フレームへ、発光体４は、第１のアドレス指定回路の起動段階の間、第１の調整器１４により、そして次に第２のアドレス指定回路の起動段階の間、第２の調整器３４により、交代で電流を供給される。
【００６２】
第１のアドレス指定回路の調整器１４及び第２のアドレス指定回路の調整器３４のトリガー閾値電圧は増加され、そして次に各画像フレームでは反対に減少される。従ってこのような装置は、有利に、パネルの調整器のトリガー閾値電圧の変化を補償する。
【００６３】
図３は、本発明の第２の実施例による発光体４及びその発光制御手段４０を示す。
【００６４】
この実施例では、制御手段４０は、配列の発光体４とそれぞれ接続された第１のアドレス指定回路６及び第２のアドレス指定回路１２、発光体の列のアドレス指定制御手段４２、発光体の行の選択制御手段４４、及び制御システム５６を有する。
【００６５】
第１及び第２のアドレス指定回路６、１２は、図１を参照して説明されたアドレス指定回路と同様に接続された同じ要素を有する。それらは図１と同一の参照符号により示され、以下では説明されない。
【００６６】
アドレス制御手段４２は、アドレス指定駆動装置４６、第１のアドレス指定電極４８及び第２のアドレス指定電極５０を発光体の各列に有する。第１のアドレス指定電極４８は、駆動装置４６及び発光体の列の全ての第１のアドレス指定回路６のスイッチ１８のドレインと接続される。第２のアドレス指定電極５０は、駆動装置４６及び発光体の列の全ての第２のアドレス指定回路１２のスイッチ３８のドレインと接続される。
【００６７】
アドレス指定駆動装置４６は、アドレス指定電圧ＶＤ１を第１の電極４８に送信し、及び同時に、アドレス指定電圧ＶＤ２を第２の電極５０に送信する。
【００６８】
選択制御手段４４は、選択駆動装置５４及び発光体の各行に単一の選択電極５２を有する。選択電極５２は、駆動装置５４及び第１のアドレス指定回路６のスイッチ１８のゲート及び発光体の行の第２のアドレス指定回路１２のスイッチ３８のゲートと接続される。
【００６９】
制御システム５６は、駆動装置５４及び駆動装置４６と接続される。制御システム５６は、デジタル画像データ及びバイアス電圧に関するデータを駆動装置４６へ送信する。制御システム５６はまた、周期的選択信号を駆動装置５４へ送信する。
【００７０】
図４は、本発明の第２の実施例による装置により実行されるアドレス指定方法の発生による種々の電圧及び電流の時間的変化を表すグラフである。図４Ａ乃至４Ｆは、本発明の第２の実施例による表示画面のアドレス指定方法を示す。
【００７１】
この方法は、コンデンサー１６のアドレス指定を設定し、同時に調整器３４のバイアスを設定する段階Ｇを有する。駆動装置４６は、画像データを表すアドレス指定電圧ＶＤａを第１の電極４８へ送信し、及びバイアス電圧Ｖｐを第２の電極５０へ送信する。
【００７２】
同時に、アドレス指定駆動装置５４は、選択電圧Ｖｓを選択電極５２に送信する。第１のアドレス指定回路のスイッチ１８及び第２の設定回路のスイッチ３８は、導通され、バイアス電圧Ｖｐは調整器３４のゲート及びコンデンサー３６の端子に印加され、及びアドレス指定電圧ＶＤａは、調整器１４のゲート及び蓄電コンデンサー１６の端子に印加される。
【００７３】
蓄電コンデンサー３６は放電し、次にバイアス電圧Ｖｐと等しい負の電位を充電する。この電圧は、蓄電コンデンサー３６により調整器３４のゲートに維持され、特に段階Ｈの間に、調整器３４のトリガー閾値電圧を徐々に低下させる。図４Ｅに点線の曲線により示されるように、ドレイン電流Ｉｄ２はゼロになり、段階Ｈの間、ゼロのままである。
【００７４】
コンデンサー１６は電位ＶＤａを充電し、及びドレイン電流Ｉｄ１は、調整器１４のドレインとソースの間で生成される。段階Ｈの間、画像フレームの終了まで、発光体４は電流Ｉｄ１を供給される。
【００７５】
段階Ｇ及びＨの間、発光体４は従って第１のアドレス指定回路６により電流を供給される。段階Ｇ及びＨは従って共に、第１のアドレス指定回路の起動段階を形成する。更に、段階Ｇ及びＨの間、バイアス電圧は調整器３４のゲートに印加され、そのトリガー閾値電圧の変化を補償する。段階Ｅ及びＦはまた、従って共に、第２のアドレス指定回路のバイアス段階を形成する。
【００７６】
段階Ｉの間、蓄電コンデンサー３６のアドレス指定を設定するため、及び同時に調整器３４のバイアスを設定するため、駆動装置４６はバイアス電圧Ｖｐを第１の電極４８へ送信し、及び画像データを表すアドレス指定電圧ＶＤｂを第２の電極５０へ送る。
【００７７】
選択スイッチ１８及び３８は、選択電圧Ｖｓを電極５２に印加することにより、同時に開かれる。バイアス電圧Ｖｐは、調整器１４のゲート及びコンデンサー１６に送信される。コンデンサー１６は放電しそして負に充電する。図４Ｅに実線の曲線により示されるように、ドレイン電流Ｉｄ１はゼロになり、段階Ｊの間、ゼロのままである。
【００７８】
段階Ｉ及びＪの間、バイアス電圧Ｖｐは、調整器１４のゲートに印加される。段階Ｉ及びＪは従って共に、第１のアドレス指定回路６をバイアスする段階を形成する。
【００７９】
同時に、バイアス電圧ＶＤｂは、電流調整器３４のゲート及びコンデンサー３６の端子に印加される。この電圧は、コンデンサー３６により調整器３４のゲートに維持され、段階Ｊの間及び新しい画像データの次の設定段階まで、発光体４に電力を供給するドレイン電流Ｉｄ２を生成する。
【００８０】
段階Ｉ及びＪの間、発光体４は従って第２のアドレス指定回路１２により電流を供給される。これら段階は従って共に、第２のアドレス指定回路の起動段階を形成する。
【００８１】
続いて、制御システム５６及び駆動装置４６及び５４は、選択のアドレス指定、アドレス指定及びバイアス電圧を以下のように制御する。これにより、正の極性のアドレス指定電圧は、第１のアドレス指定回路６の調整器１４のゲートに印加され、発光体４に電力を供給すると同時に、負の極性のバイアス電圧は、第２のアドレス指定回路１２の調整器３４のゲートに印加され、トリガー閾値電圧の変化を補償する。次に反対に、正の極性のアドレス指定電圧は、第２のアドレス指定回路１２の調整器３４のゲートに印加され、発光体４に電力を供給すると同時に、負の極性のバイアス電圧は、第１のアドレス指定回路６の調整器１４のゲートに印加され、トリガー閾値電圧の変化を補償する。
【００８２】
発光体４は従って、調整器１４及び次に調整器３４により交互に調整された電流を供給される。
【００８３】
第１及び第２のアドレス指定回路６、１２は、交互に起動され発光体４に電流を供給する。
【００８４】
調整器１４が発光体４に電力を供給する場合、調整器３４は高い負の電位に相当するバイアス電圧をそのゲートに印加することによりバイアスされ、前の段階の間に変化した調整器３４のトリガー閾値電圧をその初期値に戻す。
【００８５】
その他の場合、調整器３４が発光体４に電力を供給する場合、調整器１４はこの同じ負のバイアス電圧によりバイアスされ、事前にある方向に変化されているそのトリガー閾値電圧を反対方向に変化する。従って、各発光体に関連する２つのアドレス指定回路の包含は、表示画面の調整器のトリガー閾値電圧の変化を補償する。
【００８６】
以上に説明された実施例では、本発明による１つの及び他のアドレス指定回路の起動の切り替えは、各画像フレームで行われる。しかしながら、本発明から逸脱することなく、この切り替えを各画像フレームにおいてではなく、複数の画像フレームの間に行うことも可能である。
【００８７】
以上に説明された実施例では、バイアス及び起動段階は、同時に実行され等しい期間を有する。変形として、制御手段はまた、調整器１４及び３４を制御可能であり、第１及び第２の回路のバイアス及び起動段階は、同時に実行されるが、異なる期間を有する。
【００８８】
好適な実施の形態によると、発光体の１つ又は他の調整器に印加されたバイアス電圧は、１つの画像フレームから他の画像フレームへ、前のフレームの間にこの調整器に印加されたアドレス指定電圧に応じて変化する。望ましくは、このバイアス電圧は、前のフレームの前記アドレス指定電圧と等しいが反対の極性を有する。
【図面の簡単な説明】
【００８９】
【図１】発光体及び本発明の第１の実施例による画面の発光体の発光を制御する手段を表すブロック図である。
【図２Ａ】第１の選択電極に印加された選択電圧を表すグラフである。
【図２Ｂ】第２の選択電極に印加された電圧を表すグラフである。
【図２Ｃ】アドレス指定電極に印加された電圧を表すグラフである。
【図２Ｄ】第１の蓄電コンデンサーの端子間に印加された電圧、及び第２の蓄電コンデンサーの端子間に印加された電圧を表すグラフである
【図２Ｅ】第１の電流調整器に流れるドレイン電流、及び第２の電流調整器に流れるドレイン電流を表すグラフである。
【図２Ｆ】発光体に流れる電流を表すグラフである。
【図３】発光体及び本発明の第２の実施例による画面の発光体の発光を制御する手段を表すブロック図である。
【図４Ａ】選択電極に印加された選択電圧を表すグラフである。
【図４Ｂ】第１のアドレス指定電極に印加された電圧を表すグラフである。
【図４Ｃ】第２のアドレス指定電極に印加された電圧を表すグラフである。
【図４Ｄ】第１の蓄電コンデンサーの端子間の電圧、及び第２の蓄電コンデンサーの端子間の電圧を表すグラフである
【図４Ｅ】第１の電流調整器に流れるドレイン電流、及び第２の電流調整器に流れるドレイン電流を表すグラフである。
【図４Ｆ】発光体に流れる電流を表すグラフである。
【図１】
2007519949.tif 000003
【図２Ａ】
2007519949.tif 000004
【図２Ｂ】
2007519949.tif 000005
【図２Ｃ】
2007519949.tif 000006
【図２Ｄ】
2007519949.tif 000007
【図２Ｅ】
2007519949.tif 000008
【図２Ｆ】
2007519949.tif 000009
【図３】
2007519949.tif 000010
【図４Ａ】
2007519949.tif 000011
【図４Ｂ】
2007519949.tif 000012
【図４Ｃ】
2007519949.tif 000013
【図４Ｄ】
2007519949.tif 000014
【図４Ｅ】
2007519949.tif 000015
【図４Ｆ】
2007519949.tif 000016
【国際調査報告】
2007519949.tif 000017
2007519949.tif 000018
2007519949.tif 000019
2007519949.tif 000020